(57)【要約】【課題】本発明は車載携帯支柱を開示した。【解決手段】取付固定台、前記取付固定台と接続する係着端と前記係着端と接続する携帯支柱を含み、前記係着端の底端面の中心に送電先端が設置され、前記係着端の底端面の右側に第一斜面が設置され、前記係着端の右端面に右に向かうロック接続溝が設置され、前記取付固定台の頂端面の中心に前記係着端を挿入し係合し接続する係着溝が設置され、前記係着溝の底端壁の中心に前記送電先端と係合し接続する送電穴が設置され、本発明の全体構造が簡単で、設計が安全で合理的で、携帯支柱を通電する同時に携帯支柱をロックし、携帯支柱が通電し接触不良などの電気現象で感電事故が発生することを避けて、現在の生活の中の感電事故を大きく減らし、携帯支柱が通電する時の安全性と安定性を保証し、携帯支柱の使用効率を高める。【選択図】図3
2019182389.tif 000002
【特許請求の範囲】
【請求項１】
車載携帯支柱であって、取付固定台、前記取付固定台と接続する係着端と前記係着端と接続する携帯支柱を含み、前記係着端の底端面の中心に送電先端が設置され、前記係着端の底端面の右側に第一斜面が設置され、前記係着端の右端面に右に向かうロック接続溝が設置され、前記取付固定台の頂端面の中心に前記係着端を挿入し係合し接続する係着溝が設置され、前記係着溝の底端壁の中心に前記送電先端と係合し接続する送電穴が設置され、前記係着溝の右側に第一滑り接続溝が設置され、前記第一滑り接続溝の上端に上に向かう前記取付固定台の外部と連結するパンチが設置され、前記第一滑り接続溝の右端壁にキャビティが設置され、前記第一滑り接続溝に左右にスライド可能に滑り接続板が設置され、前記滑り接続板の上端面に前記パンチと摺動可能なように係合して接続する上に伸びる押し滑りアームが設置され、前記滑り接続板の頂端面左側に前記第一斜面と当接しスライド可能なように係合する第二斜面が設置され、前記滑り接続板の右端に第一圧縮ばねが接続され、前記第一圧縮ばねが前記滑り接続板と離れる一端が前記キャビティの右端壁に接続し、前記取付固定台の中に前記係着溝の下側に交換溝が設置され、前記交換溝の右端に押圧装置が設置され、前記交換溝に左右にスライドできる滑り接続台が設置され、前記交換溝の左端壁に上下対称に上送電ブロックと下送電ブロックが設置され、前記滑り接続台の左端面に上下対称に前記上送電ブロックと前記下送電ブロックと係合し接続し通電する上送電筐体と下送電筐体が設置され、前記上送電ブロックが前記送電穴と電気的に接続し、前記下送電ブロックが商用電源と接続し、前記上送電筐体が前記下送電筐体と互いに電気的に接続し、前記押圧装置は前記交換溝と前記取付固定台の外部を連結するパンチと前記パンチに設置される押圧レバー、前記パンチの左端にプレートが固定的に設置され、前記押圧レバーの左端が前記プレートを通り抜けて前記プレートと左右に摺動可能なように係合して接続し、前記押圧レバーの左端が前記滑り接続台と固定的に接続し、前記押圧レバーの左端位置に近づく所にラグが固定的に設置され、前記押圧レバーに前記プレートと前記ラグの間に位置する所に第二圧縮ばねが周設され、前記押圧レバーの下端に前記押圧レバーとヒンジで連結するロック接続レバーが設置され、前記取付固定台の下端面に前記パンチと連結する弧面ロック接続溝が設置され、前記ロック接続レバーのロック接続部が回転可能なように前記弧面ロック接続溝に挿入し、前記第一斜面と前記第二斜面の傾斜角度が同一であり、前記ロック接続溝が前記第一滑り接続溝のノッチ面積が同じであることを特徴とする車載携帯支柱。
【発明の詳細な説明】
【技術分野】
【０００１】
本発明は携帯支柱分野に関し、具体的には車載携帯支柱に関する。
【背景技術】
【０００２】
今、人々が車を運転する時に常に携帯支柱を使って携帯を車に取り付けて、ナビゲーションを便利にし、現在の車載携帯支柱を車に取り付けるステップが複雑で、落ちやすく、携帯を充電する時に、別に充電ラインと接続する必要があり、車を運転する時に使用することが不便である。
【先行技術文献】
【特許文献】
【０００３】
【特許文献１】中国特許出願公開第103273866号明細書
【発明の概要】
【発明が解決しようとする課題】
【０００４】
本発明は解決する必要な技術問題に対して車載携帯支柱を提供し、それは上記の現在の技術問題を解決できる。
【課題を解決するための手段】
【０００５】
上記の問題を解決するため、本発明は下記の技術方案を採用する。本発明の車載携帯支柱は取付固定台、前記取付固定台と接続する係着端と前記係着端と接続する携帯支柱を含み、前記係着端の底端面の中心に送電先端が設置され、前記係着端の底端面の右側に第一斜面が設置され、前記係着端の右端面に右に向かうロック接続溝が設置され、前記取付固定台の頂端面の中心に前記係着端を挿入し係合し接続する係着溝が設置され、前記係着溝の底端壁の中心に前記送電先端と係合し接続する送電穴が設置され、前記係着溝の右側に第一滑り接続溝が設置され、前記第一滑り接続溝の上端に上に向かう前記取付固定台の外部と連結するパンチが設置され、前記第一滑り接続溝の右端壁にキャビティが設置され、前記第一滑り接続溝に左右にスライド可能に滑り接続板が設置され、前記滑り接続板の上端面に前記パンチと摺動可能なように係合して接続する上に伸びる押し滑りアームが設置され、前記滑り接続板の頂端面左側に前記第一斜面と当接しスライド可能なように係合する第二斜面が設置され、前記滑り接続板の右端に第一圧縮ばねが接続され、前記第一圧縮ばねが前記滑り接続板と離れる一端が前記キャビティの右端壁に接続し、前記取付固定台の中に前記係着溝の下側に交換溝が設置され、前記交換溝の右端に押圧装置が設置され、前記交換溝に左右にスライドできる滑り接続台が設置され、前記交換溝の左端壁に上下対称に上送電ブロックと下送電ブロックが設置され、前記滑り接続台の左端面に上下対称に前記上送電ブロックと前記下送電ブロックと係合し接続し通電する上送電筐体と下送電筐体が設置され、前記上送電ブロックが前記送電穴と電気的に接続し、前記下送電ブロックが商用電源と接続し、前記上送電筐体が前記下送電筐体と互いに電気的に接続する。
【０００６】
好ましい技術方案として前記押圧装置は前記交換溝と前記取付固定台の外部を連結するパンチと前記パンチに設置される押圧レバー、前記パンチの左端にプレートが固定的に設置され、前記押圧レバーの左端が前記プレートを通り抜けて前記プレートと左右に摺動可能なように係合して接続し、前記押圧レバーの左端が前記滑り接続台と固定的に接続し、前記押圧レバーの左端位置に近づく所にラグが固定的に設置され、前記押圧レバーに前記プレートと前記ラグの間に位置する所に第二圧縮ばねが周設され、前記押圧レバーの下端に前記押圧レバーとヒンジで連結するロック接続レバーが設置され、前記取付固定台の下端面に前記パンチと連結する弧面ロック接続溝が設置され、前記ロック接続レバーのロック接続部が回転可能なように前記弧面ロック接続溝に挿入する。
【０００７】
好ましい技術方案として、前記第一斜面と前記第二斜面の傾斜角度が同一であり、前記ロック接続溝が前記第一滑り接続溝のノッチ面積が同じである。
【０００８】
本発明の有益な効果は、以下の通りである。1. 前記係着端と前記係着溝と正確に合わせて、徐々に前記係着溝に挿入し、前記係着端が前記係着溝に挿入し前記第一斜面と前記第二斜面に当接しスライド可能に係合させ、これにより前記係着端を通じて前記滑り接続板を右水平に押して、この同時に前記係着端が前記係着溝が係合し接続する状態にあり、前記送電先端が前記送電穴が係合し接続する状態にあり、前記ロック接続溝と前記第一滑り接続溝が相対状態にあり、前記第一圧縮ばねの押圧作用のもとで、前記滑り接続板が前記ロック接続溝に挿入し係合し接続し前記係着端を前記係着溝にロックし、これにより係着端が取付固定台の接続安定性を確保し、その後に前記押圧レバーが前記滑り接続台を左にスライドさせ、前記押圧レバーの押動作用のもとで前記滑り接続台が前記交換溝の一番左端に位置し、前記上送電ブロックと前記下送電ブロックがそれぞれ前記上送電筐体と前記下送電筐体と係合し接続し通電し、これにより前記送電穴を通電し、前記送電先端を通電し、これにより前記携帯支柱に電力供給し、同時に前記ロック接続レバーが回転可能なように前記弧面ロック接続溝に挿入し前記押圧レバーの位置をロックし、これにより前記携帯支柱の通電の安定性を保証し、前記携帯支柱の安定性を保証する。
【０００９】
2 . 前記ロック接続レバーを下に回転可能なようにし、前記第二圧縮ばねの押圧作用のもとで前記ロック接続レバーが右に押動され、前記ロック接続レバーが右に押動し前記滑り接続台と連動して右にスライドし、これにより前記上送電ブロックと前記下送電ブロックがそれぞれ前記上送電筐体と前記下送電筐体と離脱し係合し接続し、これにより前記送電穴を通電し、これにより前記携帯支柱を通電し、その後に前記押滑アームを右に押動し、これにより前記滑り接続板が前記ロック接続溝との係合接続から離脱し、前記係着端のロックを解除し、その後に前記係着溝の中から前記係着端を引き抜いたら前記係着端が前記係着溝との係合接続から離脱し、その後に前記押滑アームを緩めて、前記第一圧縮ばねの押圧作用のもとで、前記滑り接続板が左に押動され初期位置状態に戻って、これにより次に携帯支柱を通電することが便利で、これにより携帯支柱の通電安全性を高める。
【００１０】
3. 本発明の全体構造が簡単で、設計が安全で合理的で、携帯支柱を通電する同時に携帯支柱をロックし、携帯支柱が通電し接触不良などの電気現象で感電事故が発生することを避けて、現在の生活の中の感電事故を大きく減らし、携帯支柱が通電する時の安全性と安定性を保証し、携帯支柱の使用効率を高める。
【００１１】
以上に本発明の基本原理、主な特徴と本発明の長所を表明し説明した。本業界の技術者が了解すべきなのは本発明は上記の実施例の制限を受けなく、上記の実施例と説明書に説明したのは本発明の原理で、本発明の意義と原理から離れない前提に本発明に各種の変化と改善があり、これらの変化と改善が本発明の保護範囲にある。本発明の保護範囲は添付の特許請求の範囲と同等内容に画定される。
【発明の効果】
【００１２】
本発明の有益な効果は、以下の通りである。1. 係着端と係着溝と正確に合わせて、徐々に係着溝に挿入し、係着端が係着溝に挿入し第一斜面と第二斜面に当接しスライド可能に係合させ、これにより係着端を通じて滑り接続板を右水平に押して、この同時に係着端が係着溝が係合し接続する状態にあり、送電先端が送電穴が係合し接続する状態にあり、ロック接続溝と第一滑り接続溝が相対状態にあり、第一圧縮ばねの押圧作用のもとで、滑り接続板がロック接続溝に挿入し係合し接続し係着端を係着溝にロックし、これにより係着端が取付固定台の接続安定性を確保し、その後に押圧レバーが滑り接続台を左にスライドさせ、押圧レバーの押動作用のもとで滑り接続台が交換溝の一番左端に位置し、上送電ブロックと下送電ブロックがそれぞれ上送電筐体と下送電筐体と係合し接続し通電し、これにより送電穴を通電し、送電先端を通電し、これにより携帯支柱に電力供給し、同時にロック接続レバーが回転可能なように弧面ロック接続溝に挿入し押圧レバーの位置をロックし、これにより携帯支柱の通電の安定性を保証し、携帯支柱の安定性を保証する。
【００１３】
2. ロック接続レバーを下に回転可能なようにし、第二圧縮ばねの押圧作用のもとでロック接続レバーが右に押動され、ロック接続レバーが右に押動し滑り接続台と連動して右にスライドし、これにより上送電ブロックと下送電ブロックがそれぞれ上送電筐体と下送電筐体と離脱し係合し接続し、これにより送電穴を通電し、これにより携帯支柱を通電し、その後に押滑アームを右に押動し、これにより滑り接続板がロック接続溝との係合接続から離脱し、係着端のロックを解除し、その後に係着溝の中から係着端を引き抜いたら係着端が係着溝との係合接続から離脱し、その後に押滑アームを緩めて、第一圧縮ばねの押圧作用のもとで、滑り接続板が左に押動され初期位置状態に戻って、これにより次に携帯支柱を通電することが便利で、これにより携帯支柱の通電安全性を高める。
【００１４】
3. 本発明の全体構造が簡単で、設計が安全で合理的で、携帯支柱を通電する同時に携帯支柱をロックし、携帯支柱が通電し接触不良などの電気現象で感電事故が発生することを避けて、現在の生活の中の感電事故を大きく減らし、携帯支柱が通電する時の安全性と安定性を保証し、携帯支柱の使用効率を高める。
【図面の簡単な説明】
【００１５】
本発明の実施例また既存の技術の中の技術方案をもっとはっきりと説明するため、下記に実施例また既存の技術の説明の中に使用する必要がある図面に簡単な紹介を行って、一目でわかることは下記の説明の中の図面はただ本発明のいくつかの実施例で、本領域の当業者にとって、創造的な労働を払わないことを前提に、これらの図面に基づいてそのほかの図面を得ることができる。
【００１６】
【図１】図１は本発明の車載携帯支柱の全体構造概略図である。
【図２】図２は図１の中の携帯支柱が通電とロック状態にある時の構造概略図である。
【図３】図３は図１の中の携帯支柱の右視構造概略図である。
【発明を実施するための形態】
【００１７】
下記に図面を交え本発明の好ましい実施例を詳しく説明し、本発明の長所と特徴を本分野の技術者にもっとわかりやすく理解させ、これにより本発明の保護範囲にもっと明確な画定を行う。
【００１８】
図1~3が示す車載携帯支柱を参照し、取付固定台3、前記取付固定台3と接続する係着端2と前記係着端2と接続する携帯支柱1を含み、前記係着端2の底端面の中心に送電先端4が設置され、前記係着端2の底端面の右側に第一斜面5が設置され、前記係着端2の右端面に右に向かうロック接続溝6が設置され、前記取付固定台3の頂端面の中心に前記係着端2を挿入し係合し接続する係着溝13が設置され、前記係着溝13の底端壁の中心に前記送電先端4と係合し接続する送電穴14が設置され、前記係着溝13の右側に第一滑り接続溝9が設置され、前記第一滑り接続溝9の上端に上に向かう前記取付固定台3の外部と連結するパンチ15が設置され、前記第一滑り接続溝9の右端壁にキャビティ12が設置され、前記第一滑り接続溝9に左右にスライド可能に滑り接続板8が設置され、前記滑り接続板8の上端面に前記パンチ15と摺動可能なように係合して接続する上に伸びる押し滑りアーム10が設置され、前記滑り接続板8の頂端面左側に前記第一斜面5と当接しスライド可能なように係合する第二斜面7が設置され、前記滑り接続板8の右端に第一圧縮ばね11が接続され、前記第一圧縮ばね11が前記滑り接続板8と離れる一端が前記キャビティ12の右端壁に接続し、前記取付固定台3の中に前記係着溝13の下側に交換溝19が設置され、前記交換溝19の右端に押圧装置16が設置され、前記交換溝19に左右にスライドできる滑り接続台22が設置され、前記交換溝19の左端壁に上下対称に上送電ブロック20と下送電ブロック21が設置され、前記滑り接続台22の左端面に上下対称に前記上送電ブロック20と前記下送電ブロック21と係合し接続し通電する上送電筐体24と下送電筐体23が設置され、前記上送電ブロック20が前記送電穴14と電気的に接続し、前記下送電ブロック21が商用電源と接続し、前記上送電筐体24が前記下送電筐体23と互いに電気的に接続する。
【００１９】
好ましくは、前記押圧装置16は前記交換溝19と前記取付固定台3の外部を連結するパンチ28と前記パンチ28に設置される押圧レバー27を含み、前記パンチ28の左端にプレート29が固定的に設置され、前記押圧レバー27の左端が前記プレート29を通り抜けて前記プレート29と左右に摺動可能なように係合して接続し、前記押圧レバー27の左端が前記滑り接続台22と固定的に接続し、前記押圧レバー27の左端位置に近づく所にラグ26が固定的に設置され、前記押圧レバー27に前記プレート29と前記ラグ26の間に位置する所に第二圧縮ばね25が周設され、前記押圧レバー27の下端に前記押圧レバー27とヒンジで連結するロック接続レバー17が設置され、前記取付固定台3の下端面に前記パンチ28と連結する弧面ロック接続溝18が設置され、前記ロック接続レバー17のロック接続部が回転可能なように前記弧面ロック接続溝18に挿入し、これにより通電接触の安定性と停電解錠の高速性を保証する。
【００２０】
好ましくは、前記第一斜面5と前記第二斜面7の傾斜角度が同一であり、前記ロック接続溝6が前記第一滑り接続溝9のノッチ面積が同一であり、これにより前記滑り接続板8が前記ロック接続溝6に挿入し係合し接続する。
【００２１】
本装置を使用する時、前記係着端2と前記係着溝13と正確に合わせて、徐々に前記係着溝13に挿入し、前記係着端2が前記係着溝13に挿入し前記第一斜面5と前記第二斜面7に当接しスライド可能に係合させ、これにより前記係着端2を通じて前記滑り接続板8を右水平に押して、この同時に前記係着端2が前記係着溝13が係合し接続する状態にあり、前記送電先端4が前記送電穴14が係合し接続する状態にあり、前記ロック接続溝6と前記第一滑り接続溝9が相対状態にあり、前記第一圧縮ばね11の押圧作用のもとで、前記滑り接続板8が前記ロック接続溝6に挿入し係合し接続し前記係着端2を前記係着溝13にロックし、これにより係着端2が取付固定台3の接続安定性を確保し、その後に前記押圧レバー27が前記滑り接続台22を左にスライドさせ、前記押圧レバー27の押動作用のもとで前記滑り接続台22が前記交換溝19の一番左端に位置し、前記上送電ブロック20と前記下送電ブロック21がそれぞれ前記上送電筐体24と前記下送電筐体23と係合し接続し通電し、これにより前記送電穴14を通電し、前記送電先端4を通電し、これにより前記携帯支柱1に電力供給し、同時に前記ロック接続レバー17が回転可能なように前記弧面ロック接続溝18に挿入し前記押圧レバー27の位置をロックし、これにより前記携帯支柱1の通電の安定性を保証し、前記携帯支柱1の安定性を保証し、携帯支柱1を通電し使用する必要がない時に、前記ロック接続レバー17を下に回転可能なようにし、前記第二圧縮ばね25の押圧作用のもとで前記ロック接続レバー17が右に押動され、前記ロック接続レバー17が右に押動し前記滑り接続台22と連動して右にスライドし、これにより前記上送電ブロック20と前記下送電ブロック21がそれぞれ前記上送電筐体24と前記下送電筐体23と離脱し係合し接続し、これにより前記送電穴14を通電し、これにより前記携帯支柱1を通電し、その後に前記押滑アーム10を右に押動し、これにより前記滑り接続板8が前記ロック接続溝6との係合接続から離脱し、前記係着端2のロックを解除し、その後に前記係着溝13の中から前記係着端2を引き抜いたら前記係着端2が前記係着溝13との係合接続から離脱し、その後に前記押滑アーム10を緩めて、前記第一圧縮ばね11の押圧作用のもとで、前記滑り接続板8が左に押動され初期位置状態に戻って、これにより次に携帯支柱1を通電することが便利で、これにより携帯支柱の通電安全性を高める。
【００２２】
本発明の有益な効果は、以下の通りである。1. 係着端と係着溝と正確に合わせて、徐々に係着溝に挿入し、係着端が係着溝に挿入し第一斜面と第二斜面に当接しスライド可能に係合させ、これにより係着端を通じて滑り接続板を右水平に押して、この同時に係着端が係着溝が係合し接続する状態にあり、送電先端が送電穴が係合し接続する状態にあり、ロック接続溝と第一滑り接続溝が相対状態にあり、第一圧縮ばねの押圧作用のもとで、滑り接続板がロック接続溝に挿入し係合し接続し係着端を係着溝にロックし、これにより係着端が取付固定台の接続安定性を確保し、その後に押圧レバーが滑り接続台を左にスライドさせ、押圧レバーの押動作用のもとで滑り接続台が交換溝の一番左端に位置し、上送電ブロックと下送電ブロックがそれぞれ上送電筐体と下送電筐体と係合し接続し通電し、これにより送電穴を通電し、送電先端を通電し、これにより携帯支柱に電力供給し、同時にロック接続レバーが回転可能なように弧面ロック接続溝に挿入し押圧レバーの位置をロックし、これにより携帯支柱の通電の安定性を保証し、携帯支柱の安定性を保証する。
【００２３】
2. ロック接続レバーを下に回転可能なようにし、第二圧縮ばねの押圧作用のもとでロック接続レバーが右に押動され、ロック接続レバーが右に押動し滑り接続台と連動して右にスライドし、これにより上送電ブロックと下送電ブロックがそれぞれ上送電筐体と下送電筐体と離脱し係合し接続し、これにより送電穴を通電し、これにより携帯支柱を通電し、その後に押滑アームを右に押動し、これにより滑り接続板がロック接続溝との係合接続から離脱し、係着端のロックを解除し、その後に係着溝の中から係着端を引き抜いたら係着端が係着溝との係合接続から離脱し、その後に押滑アームを緩めて、第一圧縮ばねの押圧作用のもとで、滑り接続板が左に押動され初期位置状態に戻って、これにより次に携帯支柱を通電することが便利で、これにより携帯支柱の通電安全性を高める。
【００２４】
3. 本発明の全体構造が簡単で、設計が安全で合理的で、携帯支柱を通電する同時に携帯支柱をロックし、携帯支柱が通電し接触不良などの電気現象で感電事故が発生することを避けて、現在の生活の中の感電事故を大きく減らし、携帯支柱が通電する時の安全性と安定性を保証し、携帯支柱の使用効率を高める。
【００２５】
以上に本発明の基本原理、主な特徴と本発明の長所を表明し説明した。本業界の技術者が了解すべきなのは本発明は上記の実施例の制限を受けなく、上記の実施例と説明書に説明したのは本発明の原理で、本発明の意義と原理から離れない前提に本発明に各種の変化と改善があり、これらの変化と改善が本発明の保護範囲にある。本発明の保護範囲は添付の特許請求の範囲と同等内容に画定される。
【図１】
2019182389.tif 000003
【図２】
2019182389.tif 000004
【図３】
2019182389.tif 000005